(57)【特許請求の範囲】
【請求項１】
紙材料又は紙状材料からの、飲料カップ（１０）のための蓋（２０）であって、以下のことを特徴とする蓋（２０）：
−  蓋（２０）が蓋板要素（３０）及び壁要素（４０）を有すること；
−  蓋板要素（３０）が蓋板（３２）を構成し、壁要素（４０）が包囲壁（４１）を構成すること；
−  蓋（２０）が、飲料カップ（１０）の巻かれたリップリム（１２）のための、中心軸（２２）を包囲する受容部（２４）を有すること；
−  蓋板（３２）及び包囲壁（４１）が、蓋板（３２）が受容部（２４）の上に間隔（Ｙ）を伴って保持されるように相互接続されていること；
−  受容部（２４）が、壁要素（４０）における波形部（４３）として構成されること；
−  少なくとも波形部（４３）の領域における壁要素（４０）が、二つの層を持って作られていること；
−  壁要素（４０）の下端では、壁要素（４０）は、内側にある壁要素（４０）の折り曲げられた部分（４２）が存在するように折り曲げられ、それは波形部（４３）を越えて延びること；及び
−  折り曲げられた部分（４２）において、二つの層が互いに密接して配置されていること。
【請求項２】
間隔（Ｙ）が５ｍｍ〜２０ｍｍであることを特徴とする請求項１に記載の蓋（２０）。
【請求項３】
蓋板（３２）に対して側部にある蓋板要素（３０）が、上方に曲げられかつ壁要素（４０）の境界部（４５）によって包含されるカラー（３４）を構成することを特徴とする請求項１又は２に記載の蓋（２０）。
【請求項４】
蓋（２０）の上端の壁要素（４０）及び／又は蓋板要素（３０）が、さらなる巻かれたリップリム（５０）を形成しながら外側に巻かれることを特徴とする請求項１〜３のいずれかに記載の蓋（２０）。
【請求項５】
蓋板（３２）が、受容部（２４）及び／又は中心軸（２２）に対して斜めに配置されることを特徴とする請求項１〜４のいずれかに記載の蓋（２０）。
【請求項６】
少なくとも受容部（２４）の外側の包囲壁（４１）が、中心軸（２２）に対して一定の角度をとることを特徴とする請求項１〜５のいずれかに記載の蓋（２０）。
【請求項７】
受容部（２４）の上及び／又は下のそれぞれの領域における包囲壁（４１）が、中心軸（２２）に対して一定の角度をとること、及び上端領域及び／又は下端領域の包囲壁（４１）が、中心軸（２２）と平行になるように配向されることを特徴とする請求項１〜６のいずれかに記載の蓋（２０）。
【請求項８】
受容部（２４）の上の領域における包囲壁（４１）が、中心軸（２２）と平行になるように配向されることを特徴とする請求項１〜７のいずれかに記載の蓋（２０）。
【請求項９】
上端領域における包囲壁（４１）が上端に向かって広がっていることを特徴とする請求項１〜８のいずれかに記載の蓋（２０）。
【請求項１０】
巻かれたリップリム（１２）を有する飲料カップ（１０）を持ち、かつ請求項１〜９のいずれかに記載の蓋（２０）を持つカップ集成体（５）において、巻かれたリップリム（１２）上に着座する、蓋（２０）の受容部（２４）の部分が、巻かれたリップリム（１２）の幅（Ｘ）の少なくとも半分の幅を有することを特徴とするカップ集成体（５）。
【請求項１１】
請求項１〜９のいずれかに記載の、紙又は紙状材料からの蓋（２０）を製造するための方法において、以下の工程を含むことを特徴とする方法：
−  蓋板要素（３０）を与える；
−  壁要素（４０）を与える；及び
−  蓋板（３２）を壁要素（４０）に接続する。
【発明の詳細な説明】
【技術分野】
【０００１】
本発明は、飲料カップのための、紙材料又は紙状材料からの蓋、カップと蓋を有するカップ集成体、及び蓋を製造するための方法に関する。
【背景技術】
【０００２】
飲料カップのための蓋は、蓋における飲用口によって飲用を可能にしながら飲料の不注意なこぼれを避けるために、単回使用の分野で、例えば特に飲食料サービス産業において成功していることが証明されている。このタイプの蓋は、プラスチックから構成されることが多いが、一方で例えば紙のような地球環境に優しい原材料から作られた蓋がより幅広く使用されている。紙材料からの既知の蓋の一般的な特徴は、蓋板がカップの巻かれたリップリムを圧迫し、従ってカップ上に押圧されるときの蓋がその巻かれたリップリムを圧迫し、もはや所定の場所から動くことができないことである。かかる態様は、ほとんどの用途に対して満足する。これは、特にカップが例えば炭酸清涼飲料のような通常の飲料又はコーヒーのような熱い飲料で満たされるとき及び満たされるなら、当てはまる。
【０００３】
しかしながら、紙材料からの既知の蓋は、巻かれたリップリムを超えて完全に突出する飲料に対しては好ましくない。これは、例えば上部にミルク泡を与えられるカプチーノに当てはまる。しかしながら、このタイプの飲料の場合にも紙材料又は紙状材料からのカップを蓋で閉鎖することができることが望ましいだろう。
【０００４】
紙材料又は紙状材料は、例えば紙、ボール紙、又は板紙であると考えられる。紙、ボール紙、又は板紙は、例えば平坦部分で利用可能であり、これらの平坦部分は、次いで例えばカップ形状の蓋要素を形成するように造形された包囲壁などを有するスリーブを形成するために巻かれるだろう。紙材料は、液密であるように被覆されることが好ましい。しかしながら、例えば平坦態様で利用可能であるプラスチック材料はまた、前記プラスチック材料がカップ又は蓋を形成するために紙材料と同じ方法又は少なくとも同様の方法で加工されるとき及び加工されるなら、紙状材料であると考えられる。例えば積層プラスチックはまた、平坦プラスチック材料である。カップ又は蓋が製造されるために、部分の形で利用可能な平坦プラスチック材料も同様にマンドレルのまわりに巻かれ、重なりの領域で接続され、特に円錐形のスリーブを造形する。カップ形状ベース又はカップ形状蓋要素はまた、平坦プラスチック材料から造形されてもよく、そこでは円形ブランクはその周囲の領域においてベース領域に対してわずかに垂直な態様で上方に折り曲げられる。しかしながら、紙状態様で加工されるプラスチック材料で起こる問題は、紙材料を加工するときに起こるものと実質的に同じである。本発明は、紙状態様で加工されるプラスチック材料に対して使用されることができるが、前記発明は、紙状態様で加工されるプラスチック材料に対して特別に構成されず、もちろん紙材料のために極めて有利に使用されることができる。
【発明の概要】
【０００５】
本発明の目的は、紙材料又は紙状材料からの蓋を提供することであり、それによってカップ周囲の上に追加の空間が作られることである。さらに、本発明の目的は、カップ及びかかる蓋を有するカップ集成体を提供することである。さらに、本発明の目的は、かかる蓋を製造するための方法を提供することである。
【０００６】
これは、本発明によれば、請求項１に記載の蓋、請求項１６に記載のカップ集成体、及び請求項１７に記載の方法によって達成される。有利な発明の実施形態は、例えばそれぞれの従属請求項から導かれることができる。請求項の内容は、明白な参照によって明細書中に含まれる。
【０００７】
本発明は、紙材料又は紙状材料からの、飲料カップのための蓋であって、以下のことを特徴とする蓋に関する：
−  蓋が蓋板要素及び壁要素を有すること；
−  蓋板要素が蓋板、特に平坦な蓋板を構成し、壁要素が包囲壁を構成すること；
−  蓋が、飲料カップの巻かれたリップリムのための、中心軸を包囲する受容部を有すること；及び
−  蓋板及び包囲壁が、蓋板が受容部の上に間隔を伴って保持されるように相互接続されていること。
【０００８】
本発明による蓋では、包囲壁は、蓋板が巻かれたリップリムのかなり上に又はカップ周囲のかなり上にそれぞれあるように配置されるように蓋板のための支持要素として使用される。これは、自由な空間が巻かれたリップリムの上に与えられることを可能にし、そこでは例えばカプチーノのミルク泡を受けることができる。結果として、例えばカプチーノのようなコーヒー製品が、蓋と関連する安全性を達成しながら、特に飲食料サービス産業で使用されるような単一使用カップの分野でも提供されることができる。紙材料又は紙状材料は印刷可能であり、それは、例えばスクリーン印刷によって高品質で同時に低コストを提供する。本発明による蓋は、有利には、容易に積重ね可能であり、容易に積重ね解除可能であり、飲用口及び所望により中心に配置された充填口を持つ。飲用口の領域の蓋板は、飲用溝を与えられてもよい。従って、蓋板は、完全に平坦であるように構成される必要はない。蓋板はまた、圧迫面に対して又はカップの巻かれたリップリムの上側に対して斜めになるように構成されてもよい。
【０００９】
蓋板要素及び壁要素は、蓋が少なくとも二つの部分から構成されるように、別個であるように作成される。二つの部分は、次いで例えば一緒に接着剤結合されるか、及び／又は一緒に封止されることができる。好ましくは、蓋板要素及び／又は壁要素は、各場合において地球環境に優しい原材料から、例えば紙又は板紙からであるように構成される。好ましくは、これは、ここでは、典型的な用途においてしみ込まないような態様で構造化又は完成される基本材料を含む。蓋板及び壁要素は、異なる壁厚さを持つか、及び／又は異なる材料から構成されることができる。
【００１０】
蓋は、例えば円形であるように作成されることができる。しかしながら、それはまた、角のあるものであるように作成されることができ、例えば角のある態様の場合であっても角が丸められている矩形であることができる。これは、対応する形状のカップに対する適応を可能にする。
【００１１】
間隔は、５ｍｍ〜２０ｍｍであることが好ましい。この方法では、上に蓋を置くカップの全体寸法があまり大きくならずに、ミルク泡の一般的なトッピングを好ましく受けることができる。
【００１２】
一つの実施形態によれば、受容部は、壁要素における波形部として構成される。これは、容易に製造可能な実施形態に相当する。波形部の領域における壁要素は、ここでは二つの層を持って作られることが好ましい。波形部は、このようにして補強されることができる。例えば、壁要素は、下縁でこの目的のために折り曲げられることができる。
【００１３】
一つの実施形態によれば、受容部は、蓋板に対して側部にあるように、蓋板要素におけるビードによって構成される。この方法では、蓋板要素は、巻かれたリップリム上に蓋を維持するか、又は巻かれたリップリムから間隔をあける機能をそれぞれとることができる。好ましくは、壁要素に対して少なくとも部分的に封止される、二つの層を有する境界部は、ここではビードと蓋板の間に構成される。この境界部は、特に安定化のために役立つ。さらに、蓋板要素は、このようにして壁要素に固定接続されることができる。
【００１４】
一つの実施形態によれば、受容部は、包囲壁に沿って構成されかつ内側に向く多数のくぼみによって構成される。特に、これは、受容部が全周囲に沿ってカップの巻かれたリップリムを圧迫しないが、少しの部分に沿ってのみ圧迫することを意味することができる。これは、例えば特別な視覚的な効果の創成を可能にし、それは、くぼみによって明らかに構築される外部面の結果である。
【００１５】
一つの実施形態によれば、壁要素は、折り曲げられた部分によって飲料カップの巻かれたリップリムのラッチングを可能にするように受容部の下で内側に折り曲げられる。これは、蓋が不注意に除去されないことを確実にすることができる。蓋が除去されるためには、巻かれたリップリムは、最初にアンダーカットによって生じる特定の抵抗に対抗して動かさなければならない。そこでは、アンダーカットは、折り曲げられた部分によって形成される。アンダーカットを構成することは、本発明による蓋の場合には前記蓋が紙又は紙状材料から製造されるため、問題なく可能である。真空成形又は射出成形によって製造される、プラスチックからの蓋の場合には、これは、可能でないか、又は大きな複雑性を伴って可能であるにすぎない。そのため、本発明による蓋からもたらされる有意な利点がある。
【００１６】
一つの実施形態によれば、蓋板に対して側部にある蓋板要素は、上方に曲げられかつ壁要素の境界部によって包含される包囲カラーを構成する。これは、壁要素に対する蓋板要素の簡単かつ信頼性のある取り付けを可能にする。この目的のために、壁要素は、短い折り曲げられた部分が内側にあるように、境界部上で、特に上縁で折り曲げられることができる。蓋板要素のカラーは、次いで内側にあるこの折り曲げられた部分と壁要素の残りの部分の間で受容される。壁要素を蓋板要素に接続することは、例えば接着剤結合又は封止によって実施されることができる。
【００１７】
一つの実施形態によれば、蓋の上端の壁要素及び／又は蓋板要素は、巻かれたリップリムを形成しながら外側に巻かれる。この方法では、蓋の使用者、即ち一般的には蓋によって閉じられるカップに含まれる飲料の消費者は、通常の単回使用飲料カップの形状と同様の、口で感じ取れる形状を与えられる。蓋は、次に例えば穴を与えられ、その穴を通して飲料が飲まれる。
【００１８】
一つの実施形態によれば、少なくとも受容部の外側の包囲壁は、中心軸に対して一定の角度をとる。
【００１９】
一つの実施形態によれば、受容部の上及び／又は下のそれぞれの領域における包囲壁は、中心軸に対して一定の角度をとり、上端領域及び／又は下端領域における包囲壁は、中心軸と平行になるように構成される。
【００２０】
一つの実施形態によれば、受容部の上の領域における包囲壁は、中心軸と平行になるように配向される。
【００２１】
一つの実施形態によれば、上端領域における包囲壁は上端に向かって広がっている。
【００２２】
本発明の範囲内では、中心軸に対する包囲壁の配向の上述の実施形態は、少なくとも部分的に組み合わせることができる。この方法では、それぞれの蓋の望ましい視覚的な外観が達成されることができる。
【００２３】
一つの実施形態によれば、蓋板は、受容部に対して、及び／又は中心軸に対して斜めに配置される。受容部に対する斜めの配置は、ここでは特に蓋が一般的にカップの上部として使用されるときにカップの巻かれたリップリムが延びる面に対して斜めの配置であることが理解される。このようにして、蓋板に蓄積する液体、例えば飲料が蓋板上の特定の位置に規定された態様で経路を定められることが達成されうる。これは、例えば蓋板の穴を介して制御された態様で蓋板上に残っている液体がカップ中に戻ることを可能にする。液体はまた、規定された態様で収集されることができる。消費者の頭はまた、飲用時に後ろに傾ける程度が少なくなりうる。
【００２４】
本発明はさらに、巻かれたリップリムを有するカップを持ち、かつ本発明による蓋を持つカップ集成体であって、巻かれたリップリム上に着座する、蓋の受容部の部分が、巻かれたリップリムの幅の少なくとも半分の幅を有するカップ集成体に関する。
【００２５】
本発明によるカップ集成体によって、本発明によるカップの上述の利点は、カップ集成体のために達成されることができる。これによって、蓋の全ての上記の説明及び変形例が参照されることができる。それに関して説明される利点は、対応して適用する。
【００２６】
カップ上の蓋の有利な装着又は有利な嵌合は、それぞれ蓋の受容部又はその上に着座する部分の記載された幅によって達成される。これは、実際に証明された。
【００２７】
本発明はさらに、本発明による蓋を製造する方法に関し、この方法は以下の工程を含む：
−  蓋板要素を与える；
−  壁要素を与える；及び
−  蓋板を壁要素に接続する。
【００２８】
本発明による方法によって、本発明による蓋は、有利に製造されることができる。そうする際には、蓋の全ての上記の変形例及び実施形態が参照されることができる。それに関して説明される利点は、対応して適用する。
【図面の簡単な説明】
【００２９】
本発明は、図に示された複数の例示的実施形態によって以下に記載されるだろう。原則として、個々の例示的実施形態のそれぞれの特徴は、望むように相互に組み合わせることができる。
【００３０】
【図１ａ】図１ａは、第一例示的実施形態による蓋を有するカップ集成体を示す。
【図１ｂ】図１ｂは、第一例示的実施形態による蓋を有するカップ集成体を示す。
【図１ｃ−１ｄ】図１ｃ−１ｄは、第一例示的実施形態による蓋を有するカップ集成体を示す。
【００３１】
【図２ａ】図２ａは、第二例示的実施形態による蓋を有するカップ集成体を示す。
【図２ｂ】図２ｂは、第二例示的実施形態による蓋を有するカップ集成体を示す。
【図２ｃ−２ｄ】図２ｃ−２ｄは、第二例示的実施形態による蓋を有するカップ集成体を示す。
【００３２】
【図３ａ】図３ａは、第三例示的実施形態による蓋を有するカップ集成体を示す。
【図３ｂ】図３ｂは、第三例示的実施形態による蓋を有するカップ集成体を示す。
【図３ｃ−３ｄ】図３ｃ−３ｄは、第三例示的実施形態による蓋を有するカップ集成体を示す。
【００３３】
【図４ａ】図４ａは、第四例示的実施形態による蓋を有するカップ集成体を示す。
【図４ｂ】図４ｂは、第四例示的実施形態による蓋を有するカップ集成体を示す。
【図４ｃ−４ｄ】図４ｃ−４ｄは、第四例示的実施形態による蓋を有するカップ集成体を示す。
【００３４】
【図５ａ】図５ａは、第五例示的実施形態による蓋を有するカップ集成体を示す。
【図５ｂ】図５ｂは、第五例示的実施形態による蓋を有するカップ集成体を示す。
【図５ｃ−５ｄ】図５ｃ−５ｄは、第五例示的実施形態による蓋を有するカップ集成体を示す。
【００３５】
【図６ａ】図６ａは、第六例示的実施形態による蓋を有するカップ集成体を示す。
【図６ｂ】図６ｂは、第六例示的実施形態による蓋を有するカップ集成体を示す。
【図６ｃ】図６ｃは、第六例示的実施形態による蓋を有するカップ集成体を示す。
【００３６】
【図７ａ】図７ａは、第七例示的実施形態による蓋を有するカップ集成体を示す。
【図７ｂ】図７ｂは、第七例示的実施形態による蓋を有するカップ集成体を示す。
【図７ｃ−７ｄ】図７ｃ−７ｄは、第七例示的実施形態による蓋を有するカップ集成体を示す。
【００３７】
【図８ａ】図８ａは、第八例示的実施形態による蓋を有するカップ集成体を示す。
【図８ｂ】図８ｂは、第八例示的実施形態による蓋を有するカップ集成体を示す。
【図８ｃ−８ｄ】図８ｃ−８ｄは、第八例示的実施形態による蓋を有するカップ集成体を示す。
【００３８】
【図９ａ】図９ａは、第九例示的実施形態による蓋を有するカップ集成体を示す。
【図９ｂ】図９ｂは、第九例示的実施形態による蓋を有するカップ集成体を示す。
【図９ｃ−９ｄ】図９ｃ−９ｄは、第九例示的実施形態による蓋を有するカップ集成体を示す。
【００３９】
【図１０ａ】図１０ａは、第十例示的実施形態による蓋を有するカップ集成体を示す。
【図１０ｂ】図１０ｂは、第十例示的実施形態による蓋を有するカップ集成体を示す。
【図１０ｃ−１０ｄ】図１０ｃ−１０ｄは、第十例示的実施形態による蓋を有するカップ集成体を示す。
【００４０】
【図１１ａ】図１１ａは、第十一例示的実施形態による蓋を有するカップ集成体を示す。
【図１１ｂ】図１１ｂは、第十一例示的実施形態による蓋を有するカップ集成体を示す。
【図１１ｃ−１１ｄ】図１１ｃ−１１ｄは、第十一例示的実施形態による蓋を有するカップ集成体を示す。
【００４１】
【図１２ａ】図１２ａは、第十二例示的実施形態による蓋を有するカップ集成体を示す。
【図１２ｂ】図１２ｂは、第十二例示的実施形態による蓋を有するカップ集成体を示す。
【図１２ｃ−１２ｄ】図１２ｃ−１２ｄは、第十二例示的実施形態による蓋を有するカップ集成体を示す。
【００４２】
【図１３】図１３は、第十三例示的実施形態による蓋を示す。
【発明を実施するための形態】
【００４３】
文字「ａ」を使用して言及される図では、各場合においてそれぞれの例示的実施形態による一つのカップ１０及び一つの蓋２０を有する一つのカップ集成体５が透視図で示される。
【００４４】
文字「ｂ」を使用して言及される図では、それぞれのカップ集成体５は断面図で示され、図にはそれぞれの中心軸２２がさらに含まれる。中心軸２２は、各場合において蓋２０並びにカップ１０の両方のための中心軸である。さらに、各場合において文字「ｂ」を使用して言及される図では、各場合において文字「ｃ」を使用して言及される図面において詳細に説明される一つの細部が図に含められる。これは、第六例示的実施形態に適用されないだけである。
【００４５】
各場合において文字「ｄ」を使用して言及される図では、各場合において互いに上に積重ねられる一つの第一蓋２０及び一つの第二蓋２０ａが示される。再び、第六例示的実施形態は、図６ｃに示された図のように、このルールの例外である。ここで、中心軸２２は、再びそれぞれ図に含められる。
【００４６】
まず全ての例示的実施形態に存在する特徴の記載が以下に続く。次いで例示的実施形態のそれぞれの特定の特徴が別個に述べられるだろう。
【００４７】
本発明によるカップ集成体５は、各場合においてその上部周囲に包囲する巻かれたリップリム１２を有する一つのカップ１０を持つ。巻かれたリップリム１２は、カップ１０のスリーブが外側に巻かれるように構成される。蓋２０なしでカップ１０に含まれる飲料を飲む消費者にとって、これは、飲用時に快適な感覚をもたらす。
【００４８】
それぞれの蓋２０は、カップ１０の上に取り付けられる。蓋２０は、各場合において、カップ１０の巻かれたリップリム１２を圧迫するように構成される一つの受容部２４を持つ。これは、カップ１０上の蓋２０の安定した保持を与える役割をする。蓋２０は、第一の大きな穴３１を与えられ、それを通して飲料が飲まれるか、又はそれを通して飲用ストローが挿入されることができる。蓋２０におけるさらなる小さな穴３３は、換気のための役割をし、もし必要なら及び必要なとき、蓋２０からカップ１０中への液体の戻りのための役割をする。
【００４９】
それぞれの蓋２０は、各場合において一つの壁要素４０を有する。これは、包囲壁４１、即ち蓋２０の外部スリーブを形成し、それは回転対称である。
【００５０】
蓋２０はさらに、各場合において、接着剤結合によって壁要素４０に接続される一つの蓋板要素３０を有する。蓋板要素３０は、蓋板３２を形成し、それは特に平坦である。用語「平坦」は、通常の方法で観察されるとき、特に蓋板３２が平滑であるように見えることを意味するものとして理解されるべきである。これは、前記蓋板３２が中心軸２２に対して傾斜されることができる可能性を除外しない。飲用のための穴３１は、それぞれの蓋板要素３０に構成される。
【００５１】
図１ａ〜１ｄに示される第一例示的実施形態の場合には、受容部２４は、壁４１に構成される波形部４３によって実現されている。示されているように、前記波形部４３は、外側に曲げられ、従ってカップ１０の巻かれたリップリム１２を受容することを可能にする。巻かれたリップリム１２の下の壁４１が再び内側にわずかに傾斜される、示された実施形態のため、巻かれたリップリム１２の一定のラッチング効果も達成される。これは、蓋２０がカップ１０から不注意に除去されることを避ける。
【００５２】
波形部４３の外側では、中心軸２２に対する側壁４１の角度は一定である。これは、波形部４３の上及び下にある壁４１の部分に当てはまる。
【００５３】
その下端では、壁要素４０は、内側にある壁要素４０の折り曲げられた部分４２が存在するように折り曲げられ、それは波形部４３を少し越えて延びる。従って、壁要素４０は、特に波形部４３の領域において二つの層で構成される。これは、波形部４３の領域において壁要素４０の安定性を高める。
【００５４】
その上端では、壁要素４０は、内側にあるさらなる折り曲げられた部分４４が構成されるように同様に内側に折り曲げられる。蓋板要素３０は、その外端で、上方に向いたカラー３４を同時に形成する。カラー３４は、前記カラー４４が壁要素４０のさらなる折り曲げられた部分４４によって内側に接触されるような態様で折り曲げられた壁要素４０に受容される。かかる壁要素４０の設計はまた、境界部４５として言及される。
【００５５】
第一例示的実施形態による蓋２０における中心軸２２に対する包囲壁４１の角度は、波形部４３の外側では一定である。
【００５６】
二つの積重ねられた蓋２０，２０ａは、図１ｄに示されている。上蓋２０ａの下部周囲は、下蓋２０の波形部４３を圧迫している。
【００５７】
図２ａ〜２ｄに示される第二例示的実施形態による蓋２０は、包囲壁４１の角度が境界部４５の領域でそれている点でのみ第一例示的実施形態による蓋２０とは異なる。特に、境界部４５の領域における包囲壁４１は、中心軸４２と平行であるように構成される。
【００５８】
図３ａ〜３ｄに示される第三例示的実施形態による蓋２０は、下端領域における壁要素４１がそれ以外で存在する角度からそれ、中心軸２２と平行であるように構成されている点で第一例示的実施形態による蓋２０とは異なる。これは、同様に下部分４２にも当てはまる。さらに、波形部４３は、第一例示的実施形態による蓋２０においてより顕著である。
【００５９】
図４ａ〜４ｄに示される第四例示的実施形態による蓋２０は、中心軸２２に対する包囲壁４１の角度が境界部４５の領域においてもそのすぐ下にある角度からそれている点で第三例示的実施形態による蓋２０とは異なる。境界部４５の領域における壁要素４０は、第二例示的実施形態の場合のように、中心軸２２と平行になるように構成される。
【００６０】
図５ａ〜５ｄに示される第五例示的実施形態による蓋２０は、蓋板３２が中心軸２２に対して斜めであるように配置される点で第二例示的実施形態による蓋２０とは異なる。これは、蓋板３２上の液体が傾斜にさらされ、従って規定された位置に蓄積することを確実にすることを可能にする。この方法では、液体は、蓋板３２からより容易に除去されることができ、例えばきれいにされることができる。これは、ここでは典型的には、蓋板３２の上に進む液体であり、例えば蓋２０を有するカップ１０が飲むために前方を傾けられ、その後に傾きを戻されるときにその上に残る。
【００６１】
図５ｄは、二つの積重ねられた蓋２０，２０ａを示す。上蓋２０ａの蓋板３２は、その最下点で、下蓋２０の境界部４５の上縁を圧迫する。
【００６２】
図６ａ〜６ｃに示される第六例示的実施形態による蓋２０は、蓋板３２が中心軸２２に対して斜めになるように配置される点で第四例示的実施形態による蓋２０とは異なる。この方法では、第五例示的実施形態を参照して記載されたのと同じ利点が達成される。蓋２０の下部周囲は、図３ａ〜３ｄの第三例示的実施形態の場合のように設計される。
【００６３】
図７ａ〜７ｄに示される第七例示的実施形態による蓋２０では、受容部２４は、第一〜第六例示的実施形態のものと異なるように構成される。蓋板要素３０は、蓋１０の巻かれたリップリム１２を圧迫するビード３６を構成するように下方に曲げられる。ビード３６は、ここでは蓋板要素３０の好適な湾曲によって造形される。蓋板要素３０は、ビード３６の上では二つの層を有する領域３８を構成し、それは壁要素４０に接着剤結合される。これは、この領域３８における特に高い安定性を導く。
【００６４】
巻かれたリップリム１２のラッチングを可能にするために、下からカップ１０の巻かれたリップリム１２を部分的に包含する比較的小さい波形部４７が、巻かれたリップリム１２の下で壁要素４０に構成される。
【００６５】
図７ｄは、二つの積重ねられた蓋２０，２０ａを示す。上蓋２０ａのビード３６は、下蓋２０の境界部４５の上部周囲を圧迫する。
【００６６】
図８ａ〜８ｄに示される第八例示的実施形態による蓋２０は、下部のラッチング特徴が小さな波形部４７によって構成されず、１８０°折り曲げられた壁要素４０の部分４８によって構成される点で第七例示的実施形態による蓋２０とは異なる。これはまた、巻かれたリップリム１２の規定されたラッチングを可能にする。なぜならば折り曲げられた部分４８は、巻かれたリップリム１２の下で終わるからである。かくしてカップ１０からの蓋の不注意な除去が避けられる。
【００６７】
図９ａ〜９ｄに示される第九例示的実施形態による蓋２０では、受容部２４はまた、再び異なる態様で構成される。受容部２４は、ここでは包囲壁４１に沿って構成される内側に向いた多数のくぼみ４６によって具体化されている。前記くぼみ４６は、各場合において、その下部でそれらがカップ１０の巻かれたリップリム１２のための圧迫面を与えるように具体化される。くぼみ４６はまた、例えばカムとして言及されることができる。
【００６８】
１８０°内側に折り曲げられ、かつ下からのカップ１０の巻かれたリップリム１２のラッチングを可能にする、壁要素４０の部分４８は、再び巻かれたリップリム１２の下に位置される。蓋板３２の上では、壁要素４０は、巻かれたリップリム１２の下の前記壁要素４０が切頭円錐の形状を持つように、外側に向かってさらに幅広くなっている。
【００６９】
図９ｄは、二つの積重ねられた蓋２０，２０ａを示す。上蓋２０ａは、くぼみ４６の圧迫面によって、下蓋２０の境界部４５の上部周囲を圧迫する。
【００７０】
図１０ａ〜１０ｄに示される第十例示的実施形態による蓋２０では、受容部２４は、再び包囲する波形部４３によって構成されるが、それは第一〜第六例示的実施形態の波形部４３と比較して薄くなるように構成される。巻かれたリップリム１２の下で、前記巻かれたリップリム１２は、再び壁要素４０の折り曲げられた部分４８によってラッチングされる。
【００７１】
前述の例示的実施形態とは対照的に、蓋板要素３０は、壁要素４０の境界部４５に保持されないが、その周囲上で外側に向かって巻かれ、従ってさらなる巻かれたリップリム５０を形成する。蓋板要素３０は、壁要素４０及び蓋板要素３０が互いに平行に延びる壁要素４０の上部分で壁要素４０に固定される。外側に構成されるさらなる巻かれたリップリム５０は、消費者が蓋２０なしでカップ１０に含まれる飲料を消費する場合の感覚と極めて類似した感覚を消費者に与える。その場合において、蓋１０の巻かれたリップリム１２は、消費者の口のすぐ隣りにあるだろう。蓋２０のさらなる巻かれたリップリム５０は、その感覚を模倣する。
【００７２】
図１０ｄは、二つの積重ねられた蓋２０，２０ａを示す。上蓋２０ａは、その波形部４３によって下蓋２０のさらなる巻かれたリップリム５０を圧迫する。
【００７３】
図１１ａ〜１１ｄに示された第十一例示的実施形態による蓋２０では、受容部２４は、第九例示的実施形態の場合のようにくぼみ４６によって構成される。さらに、さらなる巻かれたリップリム５０が、第十例示的実施形態の場合のように構成される。その詳細に関しては、第九及び第十例示的実施形態のそれぞれの対応する記載を参照されたい。
【００７４】
図１２ａ〜１２ｄに示された第十二例示的実施形態による蓋２０では、受容部２４は、第十例示的実施形態のように包囲する波形部４３によって構成される。しかしながら、第十例示的実施形とは対照的に、さらなる巻かれたリップリム５０は構成されず、蓋板要素３０及び壁要素４０は、例えば、第一例示的実施形態の場合のように境界部４５によって相互接続される。しかしながら、対照的に第十二例示的実施形態の境界部４５は、内側に傾けられる。
【００７５】
特に図１２ｃでは、巻かれたリップリム１２に着座する、蓋２０の受容部２４の部分が、巻かれたリップリム１２の幅の約半分の幅を持つことが確認されることができる。この方法では、有利な安定性が達成されることができる。巻かれたリップリム１２の幅の半分は、ここではＸによって表わされている。さらに、巻かれたリップリム１２の上の蓋板３２の間隔は、Ｙによって表わされている。
【００７６】
図１２ｄは、二つの積重ねられた蓋２０，２０ａを示す。上蓋２０ａの半径方向内側に突出する縁５２は、下蓋２０の境界部４５の外側３４を圧迫する。外側３４は斜めの態様で内側に向けられているので、上蓋２０ａは、下蓋２０上で規定された位置をとる。
【００７７】
図１３に示される第十三例示的実施形態では、蓋２０は、前の実施形態とは対照的に、丸形ではなく、矩形であるように構成される。これは、対応する矩形のカップ形状への適応を可能にする。
【００７８】
全ての例示的実施形態は、蓋板３２がカップ１０の巻かれたリップリム１２の上に、そこから有意な間隔を持って配置されている点で共通する。これは、巻かれたリップリム１２を越えて突出する飲料の成分、例えばカプチーノの場合のミルク泡が包囲壁４１によって規定される蓋板３２の下の空間に受容されることを可能にする。
【図１ａ】
0006700011.tif 000002
【図１ｂ】
0006700011.tif 000003
【図１ｃ−１ｄ】
0006700011.tif 000004
【図２ａ】
0006700011.tif 000005
【図２ｂ】
0006700011.tif 000006
【図２ｃ−２ｄ】
0006700011.tif 000007
【図３ａ】
0006700011.tif 000008
【図３ｂ】
0006700011.tif 000009
【図３ｃ−３ｄ】
0006700011.tif 000010
【図４ａ】
0006700011.tif 000011
【図４ｂ】
0006700011.tif 000012
【図４ｃ−４ｄ】
0006700011.tif 000013
【図５ａ】
0006700011.tif 000014
【図５ｂ】
0006700011.tif 000015
【図５ｃ−５ｄ】
0006700011.tif 000016
【図６ａ】
0006700011.tif 000017
【図６ｂ】
0006700011.tif 000018
【図６ｃ】
0006700011.tif 000019
【図７ａ】
0006700011.tif 000020
【図７ｂ】
0006700011.tif 000021
【図７ｃ−７ｄ】
0006700011.tif 000022
【図８ａ】
0006700011.tif 000023
【図８ｂ】
0006700011.tif 000024
【図８ｃ−８ｄ】
0006700011.tif 000025
【図９ａ】
0006700011.tif 000026
【図９ｂ】
0006700011.tif 000027
【図９ｃ−９ｄ】
0006700011.tif 000028
【図１０ａ】
0006700011.tif 000029
【図１０ｂ】
0006700011.tif 000030
【図１０ｃ−１０ｄ】
0006700011.tif 000031
【図１１ａ】
0006700011.tif 000032
【図１１ｂ】
0006700011.tif 000033
【図１１ｃ−１１ｄ】
0006700011.tif 000034
【図１２ａ】
0006700011.tif 000035
【図１２ｂ】
0006700011.tif 000036
【図１２ｃ−１２ｄ】
0006700011.tif 000037
【図１３】
0006700011.tif 000038